(57)【要約】【課題】  電子カメラで撮影した画像の一部分を領域指定し拡大してプリンターに印刷する場合、指定する領域の大きさによって印刷画質が変わってしまうという問題点があった。【解決手段】  撮像した静止画像及び或いは動画像を記録媒体に記録及び再生表示する画像処理装置と、静止画像及び或いは動画像の一部分を印刷媒体に印刷する画像印刷装置とにおいて、前記画像処理装置と前記画像印刷装置との接続状態で、画像処理装置の画像に関する情報と画像印刷装置の印刷に関する情報とを通信して演算し、その演算結果に応じて印刷が可能か否かの判断をすることを特徴とする。【選択図】  図１
2005322967.tif 000002
【特許請求の範囲】
【請求項１】
撮像した静止画像及び或いは動画像を記録媒体に記録及び再生表示する画像処理装置と、静止画像及び或いは動画像の一部分を印刷媒体に印刷する画像印刷装置とにおいて、前記画像処理装置と前記画像印刷装置との接続状態で、画像処理装置の画像に関する情報と画像印刷装置の印刷に関する情報とを通信して演算し、その演算結果に応じて印刷が可能か否かの判断をすることを特徴とする画像処理装置システム。
【請求項２】
前記演算結果により、印刷が不可能な場合、警告を出すことを特徴とする請求項１記載の画像処理装置システム。
【請求項３】
前記演算結果により、印刷が不可能な場合、印刷が可能となるような画像の大きさを表示することを特徴とする請求項１記載の画像処理装置システム。
【請求項４】
前記画像処理装置の画像に関する情報は、前記画像処理装置の画像の印刷領域を含むことを特徴とする請求項１記載の画像処理装置システム。
【請求項５】
前記画像処理装置の画像に関する情報は、前記画像処理装置の画素数及び或いは画像の大きさを含むことを特徴とする請求項１記載の画像処理装置システム。
【請求項６】
前記画像印刷装置の印刷に関する情報は、前記画像印刷装置の印刷媒体の大きさを含むことを特徴とする請求項１記載の画像処理装置システム。
【発明の詳細な説明】
【技術分野】
【０００１】
本発明は、静止画像や動画像を撮像、記録、再生する画像処理装置と画像処理装置に記録した画像を印刷する画像印刷装置とを含めた画像処理装置システムに関する。
【背景技術】
【０００２】
従来、静止画像や動画像を記録再生する電子カメラ等の画像処理装置と、記録した画像を印刷するプリンター等の画像印刷装置とを通信ケーブル等で接続することによって、撮影、記録した画像を紙等の印刷媒体に印刷することが可能であるシステムが知られている（特許文献１参照）。これらのシステムは、パソコン等を介さずに、電子カメラから直接プリンターに印刷することが可能なため、使用者にとって簡便性が高い。特に、撮影した画像の一部分を領域指定し拡大して再生及び印刷する機能は、使用者にとって有益な機能となっている。
【０００３】
また、撮像素子の高画素化やズームの高倍率化、電子カメラ本体の小型化、等によって、近年、様々な電子カメラが市販されている。プリンターも様々な電子カメラと通信ケーブルを介して直接印刷できるようになっている。電子カメラと通信ケーブルを介して直接印刷できる形態のプリンターは複数種類の紙のサイズを選択できるようになっている。
【特許文献１】特開平１０−２２９５３４号公報
【発明の開示】
【発明が解決しようとする課題】
【０００４】
このような従来の電子カメラ等の画像処理装置とプリンター等の画像印刷装置においては、電子カメラで撮影した画像の一部分を領域指定し拡大してプリンターに印刷する場合、指定する領域の大きさによって印刷画質が変わってしまうという問題点があった。つまり、画像に対して印刷を指定する領域が小さい場合、即ち、印刷する媒体に対して指定領域を拡大して印刷する場合は、画素に関する情報が少なくなるため、印刷画質が粗くなるという問題点があった。
【０００５】
また、プリンターに接続する撮像素子の画素数の異なる電子カメラがある場合、或いは、撮影した画像のサイズのタイプが複数ある場合、接続する電子カメラ、撮影した画像サイズによって印刷画質が変わってしまうという問題点があった。つまり、同じ大きさの印刷媒体に印刷する場合、撮像素子の画素数の少ない電子カメラでは、画素数のより多い電子カメラよりも、画像サイズの小さい画像では、より大きい画像よりも、印刷画質が粗くなるという問題点があった。
【０００６】
また、プリンターの印刷媒体のサイズが複数ある場合、同じ画像を印刷しても印刷媒体のサイズによって印刷画質が変わってしまうという問題点があった。つまり、印刷媒体の大きなサイズに印刷するのは、より小さなサイズに印刷するよりも、印刷画質が粗くなるという問題点があった。
【０００７】
印刷画質が粗くなるのは、使用者の意図するところではないことが多く、そのため、印刷媒体及びインク等の無駄になるという問題点があった。
【課題を解決するための手段】
【０００８】
本発明に係る画像処理装置に於いては、第１に、撮像した静止画像及び或いは動画像を記録媒体に記録及び再生表示する画像処理装置と、静止画像及び或いは動画像の一部分を印刷媒体に印刷する画像印刷装置とにおいて、前記画像処理装置と前記画像印刷装置との接続状態で、画像処理装置の画像に関する情報と画像印刷装置の印刷に関する情報とを通信して演算し、その演算結果に応じて印刷が可能か否かの判断をすることを特徴とする。
第２に、前記演算結果により、印刷が不可能な場合、警告を出すことを特徴とする。
第３に、前記演算結果により、印刷が不可能な場合、印刷が可能となるような画像の大きさを表示することを特徴とする。
第４に、前記画像処理装置の画像に関する情報は、前記画像処理装置の画像の印刷領域を含むことを特徴とする。
第５に、前記画像処理装置の画像に関する情報は、前記画像処理装置の画素数及び或いは画像の大きさを含むことを特徴とする。
第６に、前記画像印刷装置の印刷に関する情報は、前記画像印刷装置の印刷媒体の大きさを含むことを特徴とする。
【０００９】
上記手段により、電子カメラで撮影した画像の一部分を領域指定し拡大してプリンターに印刷する場合、指定する領域の大きさによって印刷画質が変わってしまうという問題点のない、つまり、画像に対して印刷を指定する領域が小さい場合、即ち、印刷する媒体に対して指定領域を拡大して印刷する場合は、画素に関する情報が少なくなるため、印刷画質が粗くなるという問題点のない画像処理装置システムを提供することが可能となる。
【００１０】
また、プリンターに接続する撮像素子の画素数の異なる電子カメラがある場合、或いは、撮影した画像のサイズのタイプが複数ある場合、接続する電子カメラ、撮影した画像サイズによって印刷画質が変わってしまうという問題点のない、つまり、同じ大きさの印刷媒体に印刷する場合、撮像素子の画素数の少ない電子カメラでは、画素数のより多い電子カメラよりも、画像サイズの小さい画像では、より大きい画像よりも、印刷画質が粗くなるという問題点のない画像処理装置システムを提供することが可能となる。
【００１１】
また、プリンターの印刷媒体のサイズが複数ある場合、同じ画像を印刷しても印刷媒体のサイズによって印刷画質が変わってしまうという問題点のない、つまり、印刷媒体の大きなサイズに印刷するのは、より小さなサイズに印刷するよりも、印刷画質が粗くなるという問題点のない画像処理装置システムを提供することが可能となる。
【００１２】
印刷画質が粗くなるのは、使用者の意図するところではないことが多く、そのため、印刷媒体及びインク等の無駄になるという問題点のない画像処理装置システムを提供することが可能となる。
【発明の効果】
【００１３】
以上の説明から容易に理解できるように、本発明によれば、第１に、撮像した静止画像及び或いは動画像を記録媒体に記録及び再生表示する画像処理装置と、静止画像及び或いは動画像の一部分を印刷媒体に印刷する画像印刷装置とにおいて、前記画像処理装置と前記画像印刷装置との接続状態で、画像処理装置の画像に関する情報と画像印刷装置の印刷に関する情報とを通信して演算し、その演算結果に応じて印刷が可能か否かの判断をすることを特徴とする画像処理装置システムを提供することが可能となる。
第２に、前記演算結果により、印刷が不可能な場合、警告を出すことを特徴とする画像処理装置システムを提供することが可能となる。
第３に、前記演算結果により、印刷が不可能な場合、印刷が可能となるような画像の大きさを表示することを特徴とする画像処理装置システムを提供することが可能となる。
第４に、前記画像処理装置の画像に関する情報は、前記画像処理装置の画像の印刷領域を含むことを特徴とする画像処理装置システムを提供することが可能となる。
第５に、前記画像処理装置の画像に関する情報は、前記画像処理装置の画素数及び或いは画像の大きさを含むことを特徴とする画像処理装置システムを提供することが可能となる。
第６に、前記画像印刷装置の印刷に関する情報は、前記画像印刷装置の印刷媒体の大きさを含むことを特徴とする画像処理装置システムを提供することが可能となる。
【００１４】
上記手段により、電子カメラで撮影した画像の一部分を領域指定し拡大してプリンターに印刷する場合、指定する領域の大きさによって印刷画質が変わってしまうという問題点のない、つまり、画像に対して印刷を指定する領域が小さい場合、即ち、印刷する媒体に対して指定領域を拡大して印刷する場合は、画素に関する情報が少なくなるため、印刷画質が粗くなるという問題点のない画像処理装置システムを提供することが可能となる。
【００１５】
また、プリンターに接続する撮像素子の画素数の異なる電子カメラがある場合、或いは、撮影した画像のサイズのタイプが複数ある場合、接続する電子カメラ、撮影した画像サイズによって印刷画質が変わってしまうという問題点のない、つまり、同じ大きさの印刷媒体に印刷する場合、撮像素子の画素数の少ない電子カメラでは、画素数のより多い電子カメラよりも、画像サイズの小さい画像では、より大きい画像よりも、印刷画質が粗くなるという問題点のない画像処理装置システムを提供することが可能となる。
【００１６】
また、プリンターの印刷媒体のサイズが複数ある場合、同じ画像を印刷しても印刷媒体のサイズによって印刷画質が変わってしまうという問題点のない、つまり、印刷媒体の大きなサイズに印刷するのは、より小さなサイズに印刷するよりも、印刷画質が粗くなるという問題点のない画像処理装置システムを提供することが可能となる。
【００１７】
印刷画質が粗くなるのは、使用者の意図するところではないことが多く、そのため、印刷媒体及びインク等の無駄になるという問題点のない画像処理装置システムを提供することが可能となる。
【発明を実施するための最良の形態】
【００１８】
（第１の実施例）
以下、図面を参照して本発明の実施例を説明する。
【００１９】
図１は、本発明の第１の実施例の構成を示す図である。
【００２０】
図1において、１００は画像処理装置である。
【００２１】
１０は光学像を電気信号に変換するＣＣＤやＣＭＯＳ等の撮像素子、及び、撮像素子のアナログ信号出力をディジタル信号に変換する撮像部である。１２は信号処理部であり、撮像部１０からのデータに対して所定の画素補間処理や色変換処理を行う。１４は信号処理部１２で処理されたデータを書き込むメモリ、及び或いは、撮影した静止画像や動画像を格納するためのメモリであり、所定枚数の静止画像や所定時間の動画像を格納するのに十分な記憶量を備えている。１６はＴＦＴ  ＬＣＤ等から成る画像表示部であり、メモリ１４に書き込まれた表示用の画像データは画像表示部１６により表示される。
【００２２】
２０は画像処理装置１００全体を制御するシステム制御回路である。
【００２３】
３０、３２、３４、３６、及び３８は、システム制御回路２０の各種の動作指示を入力するための操作手段であり、スイッチやダイアル、タッチパネル等の単数或いは複数の組み合わせで構成される。
【００２４】
ここで、これらの操作手段の具体的な説明を行う。
【００２５】
３０はモードスイッチで、撮影モード、再生モード、ダイレクトプリントモード等に切り替え設定することができる。３２はプリントスイッチで、画像印刷装置２００と接続された状態の時に、プリントスタート、プリントストップを指示することができる。３４は画像サイズスイッチで、撮影する画像の縦横サイズを変更することができ、例えばラージサイズ、ミドルサイズ、スモールサイズ等に切り替え設定することができる。３６はトリミングスイッチで、撮影した画像をプリントする時にトリミングを行う、行わないの指示をしたり、トリミングを行う場合には拡大するサイズを設定したりすることができる。３８は各種ボタンやタッチパネル等からなる操作部で、各種設定のオン、オフや各種切り替えを行うことができる。
【００２６】
４０は電源スイッチで、画像処理装置１００の電源オン、電源オフの各モードを切り替え設定することができる。また、画像処理装置１００に接続された記録媒体６０等の各種付属装置の電源オン、電源オフの設定も合わせて切り替え設定することができる。
【００２７】
５０は電池やＡＣアダプター等からなる電源手段であり、画像処理装置１００の各部に必要な電力を供給する。また、画像印刷装置２００の接続時には、画像処理装置側の通信手段８０、画像印刷装置側の通信手段１４０を介して画像印刷装置２００の各部に必要な電力を供給することもできる。
【００２８】
６０はメモリカードやハードディスク等の記録媒体である。６２は記録媒体６０が装着されているか否かを検知する記録媒体着脱検知手段である。
【００２９】
７０は画像印刷装置が接続されているか否かを検知する画像印刷装置接続検知手段である。
【００３０】
８０は通信手段で、ＵＳＢ、ＩＥＥＥ１３９４等の各種通信機能を有し、画像印刷装置２００と接続することにより、ダイレクトプリントを行うことができる。また、図示しないパソコンと接続することにより、記録媒体６０に記録されている画像データ等をパソコンに送信したり、パソコンから各種データを受け取ったり、パソコンから画像処理装置１００を動作させたりすることができる。
【００３１】
２００は画像印刷装置である。
【００３２】
１１０は画像印刷装置２００全体を制御するシステム制御回路である。
【００３３】
１２０は画像処理装置１００から通信して送られてきた印刷画像データを格納、及び或いは、展開するメモリである。
【００３４】
１３０は電池やＡＣアダプター等からなる電源手段であり、画像印刷装置２００の各部に必要な電力を供給する。また、画像処理装置１００の接続時には、画像印刷装置側の通信手段１４０、画像処理装置側の通信手段８０を介して画像処理装置１００の各部に必要な電力を供給することもできる。
【００３５】
１４０は通信手段で、ＵＳＢ、ＩＥＥＥ１３９４等の各種通信機能を有し、画像処理装置１００と接続することにより、ダイレクトプリントを行うことができる。また、図示しないパソコンと接続することにより、画像データ等をパソコンに送信したり、パソコンから各種データを受け取ったり、パソコンから画像印刷装置２００を動作させたりすることができる。
【００３６】
１５０はヘッド、センサー、モーター、給紙ローラー、用紙トレイ等からなるメカユニットである。１５２は用紙トレイに入っている用紙サイズが例えばカードサイズ、Ｌサイズ、ポストカードサイズ等のうちどのサイズであるかを検知する用紙サイズ検知手段である。
【００３７】
図２から図６を参照して、第１の実施例の動作を説明する。
【００３８】
図２から図４は本発明の実施例の画像処理装置１００の主ルーチンのフローチャートを示す。
【００３９】
図２から図４を用いて、画像処理装置１００の動作を説明する。
【００４０】
電池交換等の電源投入により、システム制御回路２０はフラグや制御変数等を初期化し、画像処理装置１００の各部において必要な所定の初期設定を行う（Ｓ１０１）。
【００４１】
システム制御回路２０は、電源スイッチ４０の設定位置を判断し、電源スイッチ４０が電源オフに設定されていたならば（Ｓ１０２）、各表示部の表示を終了状態に変更し、画像処理装置１００各部の不要な電源を遮断する等の所定の終了処理を行った後（Ｓ１０３）、Ｓ１０２に戻る。
【００４２】
電源スイッチ４０が電源オンに設定されていたならば（Ｓ１０２）、システム制御回路２０は、電源５０の残容量や動作状況が画像処理装置１００の動作に問題があるか否かを判断し（Ｓ１０４）、問題があるならば画像や音声により所定の警告表示を行った後に（Ｓ１０５）、Ｓ１０２に戻る。
【００４３】
電源５０に問題がないならば（Ｓ１０４）、システム制御回路２０はモードスイッチ３０の設定位置を判断し、モードスイッチ３０がダイレクトプリントモードに設定されていたならば（Ｓ１０６）、Ｓ１０８に進む。
【００４４】
モードスイッチ３０がその他のモードに設定されていたならば（Ｓ１０６）、システム制御回路２０は選択されたモードに応じた処理を実行し（Ｓ１０７）、処理を終えたならばＳ１０２に戻る。
【００４５】
システム制御回路２０は、記録媒体６０が装着されているかどうかの判断、記録媒体６０に記録された画像データの管理情報の取得、そして、記録媒体６０の動作状態が画像処理装置１００の動作、特に記録媒体に対する画像データの記録再生動作に問題があるか否かの判断を行い（Ｓ１０８）、問題があるならば画像や音声により所定の警告表示を行った後に（Ｓ１０５）、Ｓ１０２に戻る。
【００４６】
記録媒体６０が装着されているかどうかの判断、記録媒体６０に記録された画像データの管理情報の取得、そして、記録媒体６０の動作状態が画像処理装置１００の動作、特に記録媒体に対する画像データの記録再生動作に問題があるか否かの判断を行った結果（Ｓ１０８）、問題がないならば、Ｓ１０９に進む。
【００４７】
システム制御回路２０は、画像印刷装置２００が接続されているかどうかの判断を行い（Ｓ１０９）、問題があるならば画像や音声により所定の警告表示を行った後に（Ｓ１０５）、Ｓ１０２に戻る。
【００４８】
画像印刷装置２００が装着されているかどうかの判断を行った結果（Ｓ１０９）、問題がないならば、Ｓ１１０に進む。
【００４９】
システム制御回路２０は画像表示部１６を用いて画像や音声により画像処理装置１００の各種設定状態の表示を行う（Ｓ１１０）。
【００５０】
プリントスイッチ３２によりプリントスタート指示がなされていないならば（Ｓ１２１）、Ｓ１０２に戻る。
【００５１】
プリントスイッチ３２によりプリントスタート指示がなされていたならば（Ｓ１２１）、Ｓ１２２に進む。
【００５２】
画像処理装置１００のシステム制御回路２０は通信手段８０と画像印刷装置２００の通信手段１４０とを介して通信し、用紙サイズ検知手段１５２により用紙サイズがカードサイズであると判断されたならば（Ｓ１２２）、Ｓ１２３に進む。
【００５３】
用紙サイズ検知手段１５２により用紙サイズがＬサイズであると判断されたならば（Ｓ１２２）、Ｓ１２４に進む。
【００５４】
用紙サイズ検知手段１５２により用紙サイズがポストカードサイズであると判断されたならば（Ｓ１２２）、Ｓ１２５に進む。
【００５５】
用紙サイズがカードサイズの時に、画像をトリミングしてプリントするのであれば（Ｓ１２３）、Ｓ１２６に進み、トリミングサイズの検出を行う。検出したトリミングサイズのプリント画質に関する演算値をａとし、用紙サイズがカードサイズである場合のプリント画質が適正であると判断できる閾値をＴｃとすると、ａがＴｃ未満であれば、プリント画質が粗くなるとの判断から画像や音声により所定の警告表示、及び或いは、画像表示部１６を用いてプリント画質が適正になるようなトリミングサイズの表示を行った後に（Ｓ１２７）、Ｓ１０２に戻る。ａがＴｃ以上であれば、プリント画質が適正であるとの判断からプリントを開始する（Ｓ１２９）。
【００５６】
用紙サイズがカードサイズの時に、画像をトリミングしてプリントしないのであれば（Ｓ１２３）、Ｓ１２８に進み、画像サイズの検出を行う。検出した画像サイズのプリント画質に関する演算値をｂとし、用紙サイズがカードサイズである場合のプリント画質が適正であると判断できる閾値をＧｃとすると、ｂがＧｃ未満であれば、プリント画質が粗くなるとの判断から画像や音声により所定の警告表示、及び或いは、画像表示部１６を用いてプリント画質が適正になるような画像サイズの表示を行った後に（Ｓ１２７）、Ｓ１０２に戻る。ｂがＧｃ以上であれば、プリント画質が適正であるとの判断からプリントを開始する（Ｓ１２９）。
【００５７】
用紙サイズがＬサイズの時に、画像をトリミングしてプリントするのであれば（Ｓ１３０）、Ｓ１３１に進み、トリミングサイズの検出を行う。検出したトリミングサイズのプリント画質に関する演算値をｃとし、用紙サイズがＬサイズである場合のプリント画質が適正であると判断できる閾値をＴＬとすると、ｃがＴＬ未満であれば、プリント画質が粗くなるとの判断から画像や音声により所定の警告表示、及び或いは、画像表示部１６を用いてプリント画質が適正になるようなトリミングサイズの表示を行った後に（Ｓ１３２）、Ｓ１０２に戻る。ｃがＴＬ以上であれば、プリント画質が適正であるとの判断からプリントを開始する（Ｓ１３４）。
【００５８】
用紙サイズがＬサイズの時に、画像をトリミングしてプリントしないのであれば（Ｓ１３０）、Ｓ１３３に進み、画像サイズの検出を行う。検出した画像サイズのプリント画質に関する演算値をｄとし、用紙サイズがＬサイズである場合のプリント画質が適正であると判断できる閾値をＧＬとすると、ｄがＧＬ未満であれば、プリント画質が粗くなるとの判断から画像や音声により所定の警告表示、及び或いは、画像表示部１６を用いてプリント画質が適正になるような画像サイズの表示を行った後に（Ｓ１３２）、Ｓ１０２に戻る。ｄがＧＬ以上であれば、プリント画質が適正であるとの判断からプリントを開始する（Ｓ１３４）。
【００５９】
用紙サイズがポストカードサイズの時に、画像をトリミングしてプリントするのであれば（Ｓ１３５）、Ｓ１３６に進み、トリミングサイズの検出を行う。検出したトリミングサイズのプリント画質に関する演算値をｅとし、用紙サイズがポストカードサイズである場合のプリント画質が適正であると判断できる閾値をＴｐとすると、ｅがＴｐ未満であれば、プリント画質が粗くなるとの判断から画像や音声により所定の警告表示、及び或いは、画像表示部１６を用いてプリント画質が適正になるようなトリミングサイズの表示を行った後に（Ｓ１３７）、Ｓ１０２に戻る。ｅがＴｐ以上であれば、プリント画質が適正であるとの判断からプリントを開始する（Ｓ１３９）。
【００６０】
用紙サイズがポストカードサイズの時に、画像をトリミングしてプリントしないのであれば（Ｓ１３５）、Ｓ１３８に進み、画像サイズの検出を行う。検出した画像サイズのプリント画質に関する演算値をｆとし、用紙サイズがポストカードサイズである場合のプリント画質が適正であると判断できる閾値をＧｐとすると、ｆがＧｐ未満であれば、プリント画質が粗くなるとの判断から画像や音声により所定の警告表示、及び或いは、画像表示部１６を用いてプリント画質が適正になるような画像サイズの表示を行った後に（Ｓ１３７）、Ｓ１０２に戻る。ｆがＧｐ以上であれば、プリント画質が適正であるとの判断からプリントを開始する（Ｓ１３９）。
【００６１】
以上のように、画像をトリミングしてプリントする場合は、用紙サイズ、トリミングサイズを検出し、それぞれを演算、比較することによって、プリント画質を適正に保つことが可能となる。また、プリント画質の悪いプリントを防止することができ、印刷媒体及びインクの無駄をなくすことが可能となる。
【００６２】
また以上のように、画像をトリミングしないでプリントする場合は、用紙サイズ、画像サイズを検出し、それぞれを演算、比較することによって、プリント画質を適正に保つことが可能となる。また、プリント画質の悪いプリントを防止することができ、印刷媒体及びインクの無駄をなくすことが可能となる。
【００６３】
図５は、用紙サイズと画像サイズに対するトリミングサイズとの関係を簡単に現した概念図を示す。
【００６４】
用紙サイズがポストカードサイズの時には、トリミングサイズ５−１は指定領域が小さく、拡大して印刷することになり、プリント画質が粗くなってしまうためＮＧとなる。トリミングサイズ５−２もトリミングサイズ５−１と同様である。トリミングサイズ５−３はプリント画質を適正に保つことが可能なためＯＫとなる。
【００６５】
用紙サイズがLサイズの時には、トリミングサイズ５−１は指定領域が小さく、拡大して印刷することになり、プリント画質が粗くなってしまうためＮＧとなる。トリミングサイズ５−２はプリント画質を適正に保つことが可能なためＯＫとなる。トリミングサイズ５−３もトリミングサイズ５−２と同様である。
【００６６】
用紙サイズがカードサイズの時には、トリミングサイズ５−１はプリント画質を適正に保つことが可能なためＯＫとなる。トリミングサイズ５−２もトリミングサイズ５−１と同様である。トリミングサイズ５−３もトリミングサイズ５−１と同様である。
【００６７】
トリミングサイズについては、説明を簡単にするために５−１、５−２、５−３のどのサイズも左下部分を揃えたが、画像サイズ中のどの部分をトリミングしてもよい。
【００６８】
図６は、用紙サイズと画像の画素数及び或いは画像の大きさとの関係を簡単に現した概念図を示す。
【００６９】
用紙サイズがポストカードサイズの時には、画素数及び或いは画像の大きさ６−１は画像サイズが小さいために、画像全体を非常に拡大して印刷することになり、その結果用紙サイズに対する画素に関する情報が少なくプリント画質が粗くなってしまうためＮＧとなる。画素数及び或いは画像の大きさ６−２も画素数及び或いは画像の大きさ６−１と同様である。画素数及び或いは画像の大きさ６−３は画像全体を拡大しても、用紙サイズに対する画素に関する情報が充分あり、プリント画質を適正に保つことが可能なためＯＫとなる。
【００７０】
用紙サイズがLサイズの時には、画素数及び或いは画像の大きさ６−４は画像サイズが小さいために、画像全体を非常に拡大して印刷することになり、その結果用紙サイズに対する画素に関する情報が少なくプリント画質が粗くなってしまうためＮＧとなる。画素数及び或いは画像の大きさ６−５は画像全体を拡大しても、用紙サイズに対する画素に関する情報が充分あり、プリント画質を適正に保つことが可能なためＯＫとなる。画素数及び或いは画像の大きさ６−６も画素数及び或いは画像の大きさ６−５と同様である。
【００７１】
用紙サイズがカードサイズの時には、画素数及び或いは画像の大きさ６−７は画像全体を拡大しても、用紙サイズに対する画素に関する情報が充分あり、プリント画質を適正に保つことが可能なためＯＫとなる。画素数及び或いは画像の大きさ６−８も画素数及び或いは画像の大きさ６−７と同様である。画素数及び或いは画像の大きさ６−９も画素数及び或いは画像の大きさ６−７と同様である。
【００７２】
（第２の実施例）
図７は、本発明の第２の実施例の構成を示す図である。
【００７３】
第１の実施例の図１と画像処理装置１００の構成は同じである。
【００７４】
画像印刷装置２００においてシステム制御回路１１０は、画像処理装置１００と通信して得られた画像データ、及び或いは、記録媒体１６０に記録されている画像データをメモリ１２０に格納し、画像表示部１２２に表示することが可能となる。また、印刷される画像のプレビューや次に印刷される画像の受け付け順等を画像表示部１２２に表示することが可能となる。これにより、プリントする前に印刷される画像の大きさ、画質等を確認することが可能となる。
【００７５】
また、画像表示部１２２を用いて、プリント画質が粗くなると判断をした時の警告表示や、プリント画質が適正になるようなトリミングサイズ或いは画像サイズの表示を行うことも可能である。
【図面の簡単な説明】
【００７６】
【図１】本発明の一実施例の構成ブロック図である。
【図２】本実施例の主ルーチンのフローチャートの一部である。
【図３】本実施例の主ルーチンのフローチャートの一部である。
【図４】本実施例の主ルーチンのフローチャートの一部である。
【図５】本実施例の概念図である。
【図６】本実施例の概念図である。
【図７】本発明の一実施例の構成ブロック図である。
【符号の説明】
【００７７】
１０  撮像部
１２  信号処理部
１４  メモリ
１６  画像表示部
２０  システム制御回路
３０  モードスイッチ
３２  プリントスイッチ
３４  画像サイズスイッチ
３６  トリミングスイッチ
３８  操作部
４０  電源スイッチ
５０  電源
６０  記録媒体
６２  記録媒体着脱検知
７０  画像印刷装置接続検知
８０  通信手段
１００  画像処理装置
１１０  システム制御回路
１２０  メモリ
１２２  画像表示部
１３０  電源
１４０  通信手段
１５０  メカユニット
１５２  用紙サイズ検知
１６０  記録媒体
２００  画像印刷装置
【図１】
2005322967.tif 000003
【図２】
2005322967.tif 000004
【図３】
2005322967.tif 000005
【図４】
2005322967.tif 000006
【図５】
2005322967.tif 000007
【図６】
2005322967.tif 000008
【図７】
2005322967.tif 000009